(57)【特許請求の範囲】
【請求項１】
複数の項目に分類して記録された診療データを含む電子カルテを蓄積する記憶装置から前記電子カルテを読み出す読出手段と、
前記読出手段により読み出された前記電子カルテの診療データが配置される過去カルテ表示画面を表示装置に表示させる第１の表示制御手段と、
前記過去カルテ表示画面を予め設定された数の表示領域に分割し、前記表示領域各々に異なる前記電子カルテの診療データを表示させる第２の表示制御手段と、
前記複数の項目に対応する複数の項目設定部を前記表示装置に表示させる第３の表示制御手段と、
前記表示領域各々に表示される全ての前記電子カルテの診療データについて、前記複数の項目設定部のうち操作入力装置により選択された項目設定部に対応する項目を表示させる第４の表示制御手段と、
を備え、
前記第４の表示制御手段は、前記表示領域各々において、前記診療データの項目のうち前記操作入力装置で選択された前記項目設定部に対応する項目を先頭にして前記診療データを表示させることを特徴とする電子カルテ装置。
【請求項２】
前記第４の表示制御手段は、前記操作入力装置で選択された前記項目設定部に対応する項目が先頭に表示されるように、前記表示領域各々における前記診療データの表示対象箇所を調整する請求項１に記載の電子カルテ装置。
【請求項３】
前記第１の表示制御手段は、前記過去カルテ表示画面と現在の入力対象の電子カルテが配置される現在カルテ表示画面とを同一画面上で左右方向又は上下方向に並べて前記表示装置に表示させるものであり、
前記第２の表示制御手段は、前記過去カルテ表示画面を上下方向又は左右方向に分割するものである請求項１又は２のいずれかに記載の電子カルテ装置。
【請求項４】
前記第２の表示制御手段による前記過去カルテ表示画面の分割数を設定するための複数の分割設定部を前記表示装置に表示させる第５の表示制御手段を更に備え、
前記第２の表示制御手段は、前記複数の分割設定部のうち前記操作入力装置により選択された分割設定部に対応する分割数で前記過去カルテ表示画面を上下方向又は左右方向に分割するものである請求項１〜３のいずれかに記載の電子カルテ装置。
【請求項５】
前記第１の表示制御手段は、前記記憶装置に記憶された前記電子カルテ各々に対応する複数のカルテ識別情報を配置したリスト表示画面を、前記過去カルテ表示画面及び前記現在カルテ表示画面と共に前記表示装置の同一画面上に表示させるものであり、
前記第２の表示制御手段は、前記複数のカルテ識別情報のうち前記操作入力装置により選択されたカルテ識別情報に対応する前記電子カルテを前記過去カルテ表示画面に表示させるものである請求項４に記載の電子カルテ装置。
【請求項６】
前記リスト表示画面に表示された前記複数のカルテ識別情報を絞り込む絞込条件を設定するための複数の絞込部を前記表示手段に表示させる第６の表示制御手段を更に備え、
前記第１の表示制御手段は、前記複数の絞込部のうち前記操作入力装置により選択された絞込部に対応する前記絞込条件に合致する前記カルテ識別情報のみを前記リスト表示画面に表示させるものである請求項５に記載の電子カルテ装置。
【請求項７】
前記第２の表示制御手段は、前記複数のカルテ識別情報のうち前記操作入力装置により一つのカルテ識別情報が選択された場合、該選択された一つのカルテ識別情報の以前又は以後に連続表示された前記分割数の前記カルテ識別情報に対応する複数の前記電子カルテを前記過去カルテ表示画面に表示させるものである請求項５又は６のいずれかに記載の電子カルテ装置。
【請求項８】
前記第２の表示制御手段は、前記複数のカルテ識別情報のうち前記操作入力装置により複数のカルテ識別情報が任意選択された場合、該任意選択された複数のカルテ識別情報に対応する複数の前記電子カルテを前記過去カルテ表示画面に表示させるものである請求項５〜７のいずれかに記載の電子カルテ装置。
【請求項９】
前記第２の表示制御手段は、前記操作入力装置による選択順で前記電子カルテ各々を前記過去カルテ表示画面の先頭の前記表示領域から表示させるものである請求項８に記載の電子カルテ装置。
【請求項１０】
前記過去カルテ表示画面に表示されている前記電子カルテに対応する前記カルテ識別情報には他の前記カルテ識別情報と異なる配色を施す色変更手段を更に備えてなる請求項５〜９のいずれかに記載の電子カルテ装置。
【請求項１１】
前記過去カルテ表示画面に表示されている前記電子カルテをその直前及び直後に一つずつ切り替えるための第１の切替部を前記表示装置に表示させる第７の表示制御手段を更に備えてなり、
前記第２の表示制御手段は、前記操作入力装置による前記第１の切替部の操作に応じて前記過去カルテ表示画面に表示されている前記電子カルテをその直前又は直後に一つずつ切り替えるものである請求項１〜１０のいずれかに記載の電子カルテ装置。
【請求項１２】
前記過去カルテ表示画面に表示されている前記電子カルテをその直前及び直後に前記分割数ずつ切り替えるための第２の切替部を前記表示装置に表示させる第８の表示制御手段を更に備えてなり、
前記第２の表示制御手段は、前記操作入力装置による前記第２の切替部の操作に応じて前記過去カルテ表示画面に表示されている前記複数の電子カルテをその直前又は直後に前記分割数ずつ切り替えるものである請求項１〜１１のいずれかに記載の電子カルテ装置。
【請求項１３】
情報を表示する表示装置と、
情報を入力する操作入力装置と、
複数の項目に分類して記録された診療データを含む電子カルテを蓄積する記憶装置と、
前記記憶装置から前記電子カルテを読み出す読出手段と、
前記読出手段により読み出された前記電子カルテの診療データが配置される過去カルテ表示画面を表示装置に表示させる第１の表示制御手段と、
前記過去カルテ表示画面を予め設定された数の表示領域に分割し、前記表示領域各々に異なる前記電子カルテの診療データを表示させる第２の表示制御手段と、
前記複数の項目に対応する複数の項目設定部を前記表示装置に表示させる第３の表示制御手段と、
前記表示領域各々に表示される全ての前記電子カルテの診療データについて、前記複数の項目設定部のうち操作入力装置により選択された項目設定部に対応する項目を表示させる第４の表示制御手段と、
を備え、
前記第４の表示制御手段は、前記表示領域各々において、前記診療データの項目のうち前記操作入力装置で選択された前記項目設定部に対応する項目を先頭にして前記診療データを表示させることを特徴とする電子カルテシステム。
【請求項１４】
コンピュータにより、
複数の項目に分類して記録された診療データを含む電子カルテを蓄積する記憶装置から前記電子カルテを読み出す読出工程と、
前記読出工程により読み出された前記電子カルテの診療データが配置される過去カルテ表示画面を表示装置に表示させる第１の表示制御工程と、
前記過去カルテ表示画面を予め設定された数の表示領域に分割し、前記表示領域各々に異なる前記電子カルテの診療データを表示させる第２の表示制御工程と、
前記複数の項目に対応する複数の項目設定部を前記表示装置に表示させる第３の表示制御工程と、
前記表示領域各々に表示される全ての前記電子カルテの診療データについて、前記複数の項目設定部のうち操作入力装置により選択された項目設定部に対応する項目を表示させる第４の表示制御工程と、
を実行し、
前記第４の表示制御工程では、前記表示領域各々において、前記診療データの項目のうち前記操作入力装置で選択された前記項目設定部に対応する項目を先頭にして前記診療データが表示されることを特徴とする電子カルテ表示方法。
【請求項１５】
コンピュータを請求項１〜１２のいずれかに記載の電子カルテ装置の各手段として機能させるための電子カルテプログラム。
【請求項１６】
請求項１５に記載の電子カルテプログラムを記録したコンピュータ読み取り可能な記録媒体。
【発明の詳細な説明】
【技術分野】
【０００１】
本発明は、患者の診療情報を電子データ化して管理する電子カルテシステムに関し、特に、過去の電子カルテの表示手法に関するものである。
【背景技術】
【０００２】
近年、病院などの医療施設では、患者各々の診療に関する情報を電子カルテと称される電子データで管理する電子カルテシステム（例えば特許文献１、２参照）が利用される。
一般に、１回（１日）の診療に関する電子カルテには、「Ｓ」、「Ｏ」、「Ａ」、「Ｐ」の各項目に分類して記録された診療データが含まれる。なお、「Ｓ」は主観情報、「Ｏ」は客観情報、「Ａ」は評価情報、「Ｐ」は計画情報である。そして、このような電子カルテシステムでは、過去の電子カルテを表示する際にも「Ｓ」、「Ｏ」、「Ａ」、「Ｐ」の各項目の順で診療データが表示される。
【０００３】
また、過去の電子カルテを表示する際に、表示画面を複数の表示領域に分割し、その複数の表示領域を用いて過去の複数の電子カルテを同一画面上に表示させる電子カルテシステムも知られている。
但し、この構成では、表示画面が複数の表示領域に分割されるため、その表示領域ごとにおいて電子カルテの診療データを表示できる範囲は狭くなる。そのため、電子カルテの診療データの全体が表示領域内に収まらず表示されないおそれがある。例えば、電子カルテに含まれる「Ｓ」、「Ｏ」、「Ａ」、「Ｐ」の各項目のうち「Ｓ」の項目のみが表示され、その他の「Ｏ」、「Ａ」及び「Ｐ」の項目については表示されないことが考えられる。
これに対し、従来は、分割された表示領域ごとに電子カルテの診療データの表示をスクロール可能とする構成が採られていた。これにより、表示領域ごとにスクロール表示操作を行うことで、「Ｓ」、「Ｏ」、「Ａ」、「Ｐ」の全ての項目を参照することが可能となる。
【先行技術文献】
【特許文献】
【０００４】
【特許文献１】特開２００１−４３２８４号公報
【特許文献２】特開２００８−２５０７４８号公報
【発明の概要】
【発明が解決しようとする課題】
【０００５】
しかしながら、分割された表示領域ごとにスクロール表示可能な構成には以下の問題がある。例えば三つの表示領域に過去３日分の電子カルテの診療データが表示された状態で、その３日分の全ての電子カルテに関して「Ａ」の項目の診療データを参照する場合を考える。この場合、医師は、その三つの表示領域全てについて個別にスクロール操作を行って「Ａ」の項目の診療データが表示されるよう調整する必要がある。このようなスクロール操作は医師にとって煩雑な作業である。
従って、本発明は上記事情に鑑みてなされたものであり、その目的とするところは、過去の電子カルテの複数表示についての操作性を向上させることにある。
【課題を解決するための手段】
【０００６】
上記目的を達成するために本発明は、読出手段、第１の表示制御手段、第２の表示制御手段、第３の表示制御手段、及び第４の表示制御手段を備えた電子カルテ装置として構成されている。前記読出手段は、複数の項目に分類して記録された診療データを含む電子カルテを蓄積する記憶装置から前記電子カルテを読み出す。前記第１の表示制御手段は、前記読出手段により読み出された前記電子カルテの診療データが配置される過去カルテ表示画面を表示装置に表示させる。前記第２の表示制御手段は、前記過去カルテ表示画面を予め設定された数の表示領域に分割する。そして、前記第２の表示制御手段は、前記表示領域各々に異なる前記電子カルテの診療データを表示させる。前記第３の表示制御手段は、前記複数の項目に対応する複数の項目設定部を前記表示装置に表示させる。前記第４の表示制御手段は、前記表示領域各々に表示される全ての前記電子カルテの診療データについて、前記複数の項目設定部のうち操作入力装置により選択された項目設定部に対応する項目を表示させる。
本発明によれば、所望の項目に対応する前記項目設定部を選択するという簡単な操作で、全ての前記表示領域においてその所望の項目の診療データを一気に表示させて参照することが可能となる。従って、前記電子カルテ装置における過去の前記電子カルテの複数表示についての操作性が向上し、例えば前記電子カルテ装置を使用する医師による診療効率を高めることができる。
特に、前記第４の表示制御手段は、前記表示領域各々に表示される全ての前記電子カルテの診療データを、前記複数の項目設定部のうち操作入力装置により選択された項目設定部に対応する項目を先頭にして表示させるものであることが望ましい。これにより、前記選択された項目が前記表示領域各々における先頭位置に表示されるため、該項目の内容がより見やすくなる。
【０００７】
ここで、前記第１の表示制御手段は、前記過去カルテ表示画面と現在の入力対象の電子カルテが配置される現在カルテ表示画面とを同一画面上で左右方向又は上下方向に並べて前記表示装置に表示させるものであることが考えられる。また、前記第２の表示制御手段は、前記過去カルテ表示画面を上下方向又は左右方向に分割するものであることが考えられる。
同一画面上に前記過去カルテ表示画面及び前記現在カルテ表示画面を同時に表示させる場合には、該過去カルテ表示画面が狭くなる。そして、その狭い過去カルテ表示画面を上下方向又は左右方向に分割した表示領域は更に狭くなる。この場合、その分割後の表示領域では前記電子カルテの診療データの全項目を一度に表示できない可能性が高くなるため、本発明が特に好適である。
【０００８】
ところで、前記第２の表示制御手段による前記過去カルテ表示画面の分割数を設定するための複数の分割設定部を前記表示装置に表示させる第５の表示制御手段を更に備えることが考えられる。この場合、前記第２の表示制御手段は、前記複数の分割設定部のうち前記操作入力装置により選択された分割設定部に対応する分割数で前記過去カルテ表示画面を上下方向又は左右方向に分割するものである。これにより、前記分割設定部の操作により簡単に前記過去カルテ表示画面の分割数を任意に設定することが可能となる。
また、前記第１の表示制御手段は、前記記憶装置に記憶された前記電子カルテ各々に対応する複数のカルテ識別情報を配置したリスト表示画面を、前記過去カルテ表示画面及び前記現在カルテ表示画面と共に前記表示装置の同一画面上に表示させるものであることが考えられる。この場合、前記第２の表示制御手段は、前記複数のカルテ識別情報のうち前記操作入力装置により選択されたカルテ識別情報に対応する前記電子カルテを前記過去カルテ表示画面に表示させるものである。これにより、前記過去カルテ表示画面に表示させる電子カルテを任意に選択することが可能となる。
さらに、前記リスト表示画面に表示された前記複数のカルテ識別情報を絞り込む絞込条件を設定するための複数の絞込部を前記表示手段に表示させる第６の表示制御手段を更に備えることが考えられる。この場合、前記第１の表示制御手段は、前記複数の絞込部のうち前記操作入力装置により選択された絞込部に対応する前記絞込条件に合致する前記カルテ識別情報のみを前記リスト表示画面に表示させるものである。これにより、前記絞込条件に合致した前記カルテ識別情報のみを表示させた状態で、前記過去カルテ表示画面に表示させる電子カルテを任意に選択することができるため、所望の電子カルテを表示させるための手間及び所要時間を短縮することができる。
【０００９】
また、前記第２の表示制御手段は、前記複数のカルテ識別情報のうち前記操作入力装置により一つのカルテ識別情報が選択された場合、該選択された一つのカルテ識別情報の以前又は以後に連続表示された前記分割数の前記カルテ識別情報に対応する複数の前記電子カルテを前記過去カルテ表示画面に表示させるものであることが考えられる。これにより、一つの前記カルテ識別情報を選択するだけでそのカルテ識別情報を基準として複数のカルテ識別情報に対応する前記電子カルテを一気に前記過去カルテ表示画面に表示させることが可能である。
一方、前記第２の表示制御手段は、前記複数のカルテ識別情報のうち前記操作入力装置により複数のカルテ識別情報が任意選択された場合、該任意選択された複数のカルテ識別情報に対応する複数の前記電子カルテを前記過去カルテ表示画面に表示させるものであることも考えられる。これにより、必ずしも連続して表示された前記カルテ識別情報に限らず、前記リスト表示画面から任意に選択した前記カルテ識別情報に対応する複数の前記電子カルテを前記過去カルテ表示画面に表示させることができる。さらに、前記絞込条件に合致した前記カルテ識別情報のみが表示された状態で、そのカルテ識別情報のうちから任意の複数のカルテ識別情報を選択することも可能であり高い操作性を得ることができる。
ここで、前記第２の表示制御手段は、前記操作入力装置による選択順で前記電子カルテ各々を前記過去カルテ表示画面の先頭の前記表示領域から表示させるものであることが考えられる。これにより、医師が選択した順序でそのまま前記電子カルテが表示されるため、例えば、医師が重要と考える順に前記電子カルテを表示させることができる。
【００１０】
また、前記過去カルテ表示画面に表示されている前記電子カルテに対応する前記カルテ識別情報には他の前記カルテ識別情報と異なる配色を施す色変更手段を備えてなることが考えられる。これにより、前記過去カルテ表示画面に表示されている電子カルテに対応するカルテ識別情報を容易に認識することができる。
さらに、前記過去カルテ表示画面に表示されている前記電子カルテをその直前及び直後に一つずつ切り替えるための第１の切替部を前記表示装置に表示させる第７の表示制御手段を更に備えてなることが考えられる。この場合、前記第２の表示制御手段は、前記操作入力装置による前記第１の切替部の操作に応じて前記過去カルテ表示画面に表示されている前記電子カルテをその直前又は直後に一つずつ切り替えるものである。これにより、前記過去カルテ表示画面に表示させる前記複数の電子カルテを、前記第１の切替部の操作により簡単に一つだけずらすことができる。
また、前記過去カルテ表示画面に表示されている前記電子カルテをその直前及び直後に前記分割数ずつ切り替えるための第２の切替部を前記表示装置に表示させる第８の表示制御手段を更に備えてなることも考えられる。この場合、前記第２の表示制御手段は、前記操作入力装置による前記第２の切替部の操作に応じて前記過去カルテ表示画面に表示されている前記複数の電子カルテをその直前又は直後に前記分割数ずつ切り替えるものである。これにより、前記過去カルテ表示画面に表示させる前記複数の電子カルテを、前記第２の切替部の操作により簡単に前記分割数ずつまとめてずらすことができる。
ところで、本発明は、コンピュータを前記電子カルテ装置の各手段として機能させるための電子カルテプログラムの発明として捉えることもできる。また、前記電子カルテプログラムを記録したコンピュータ読み取り可能な記録媒体を本発明と捉えてもよい。
【００１１】
また、本発明は、表示装置、操作入力装置、記憶装置、読出手段、第１の表示制御手段、第２の表示制御手段、第３の表示制御手段、及び第４の表示制御手段を備えてなることを特徴とする電子カルテシステムとして捉えてもよい。前記表示装置は情報を表示するものであり、前記操作入力装置は情報を入力するものである。前記記憶装置は、複数の項目に分類して記録された診療データを含む電子カルテを蓄積する。前記読出手段は、前記記憶装置から前記電子カルテを読み出す。前記第１の表示制御手段は、前記読出手段により読み出された前記電子カルテの診療データが配置される過去カルテ表示画面を表示装置に表示させる。前記第２の表示制御手段は、前記過去カルテ表示画面を予め設定された数の表示領域に分割する。そして、前記第２の表示制御手段は、前記表示領域各々に異なる前記電子カルテの診療データを表示させる。前記第３の表示制御手段は、前記複数の項目に対応する複数の項目設定部を前記表示装置に表示させる。前記第４の表示制御手段は、前記表示領域各々に表示される全ての前記電子カルテの診療データを、前記複数の項目設定部のうち操作入力装置により選択された項目設定部に対応する項目を先頭にして表示させる。
【００１２】
さらに、本発明は、コンピュータにより、読出工程、第１の表示制御工程、第２の表示制御工程、第３の表示制御工程、及び第４の表示制御工程を実行することを特徴とする電子カルテ表示方法として捉えてもよい。前記読出工程は、複数の項目に分類して記録された診療データを含む電子カルテを蓄積する記憶装置から前記電子カルテを読み出す。前記第１の表示制御工程は、前記読出工程により読み出された前記電子カルテの診療データが配置される過去カルテ表示画面を表示装置に表示させる。前記第２の表示制御工程は、前記過去カルテ表示画面を予め設定された数の表示領域に分割し、前記表示領域各々に異なる前記電子カルテの診療データを表示させる。前記第３の表示制御工程は、前記複数の項目に対応する複数の項目設定部を前記表示装置に表示させる。前記第４の表示制御工程は、前記表示領域各々に表示される全ての前記電子カルテの診療データを、前記複数の項目設定部のうち操作入力装置により選択された項目設定部に対応する項目を先頭にして表示させる。
【発明の効果】
【００１３】
本発明によれば、過去の電子カルテの複数表示についての操作性を向上させることができる。
【図面の簡単な説明】
【００１４】
【図１】本発明の実施の形態に係る電子カルテシステムＸの概略構成を示す模式図。
【図２】本発明の実施の形態に係る電子カルテシステムＸのサーバ装置Ｙ及びクライアント装置Ｚの概略構成を示すブロック図。
【図３】受診リスト画面の表示例を示す図。
【図４】カルテ表示画面の配置構成の一例を模式的に示した図。
【図５】カルテ表示画面の配置構成の一例を模式的に示した図。
【図６】カルテ表示画面の配置構成の一例を模式的に示した図。
【図７】カルテ表示画面の表示例を示す図。
【図８】カルテ表示画面の表示例を示す図。
【図９】カルテ表示画面の表示例を示す図。
【図１０】カルテ表示処理の手順の一例を示すフローチャート。
【図１１】カルテ選択処理の手順の一例を示すフローチャート。
【図１２】カルテ表示画面の表示例を示す図。
【図１３】カルテ表示画面の表示例を示す図。
【図１４】カルテ表示画面の表示例を示す図。
【図１５】カルテ表示画面の表示例を示す図。
【図１６】カルテ表示画面の表示例を示す図。
【図１７】カルテ表示画面の表示例を示す図。
【図１８】カルテ表示画面の表示例を示す図。
【図１９】操作バーの一例を示す図。
【図２０】過去カルテ表示画面の表示対象の遷移例を示す図。
【図２１】過去カルテ表示画面の表示対象の遷移例を示す図。
【図２２】過去カルテ表示画面の表示対象の遷移例を示す図。
【発明を実施するための形態】
【００１５】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１６】
＜電子カルテシステムＸ＞
図１に示すように、本発明の実施の形態に係る電子カルテシステムＸは、サーバ装置Ｙ及び複数のクライアント装置Ｚを備えている。前記サーバ装置Ｙ及び前記クライアント装置Ｚは、ＬＡＮ又はインターネット等の通信ネットワーク２０で通信可能に接続されている。ここに、前記クライアント装置Ｚ各々が本発明に係る電子カルテ装置に該当する。
なお、前記電子カルテシステムＸは、バックアップのために複数の前記サーバ装置Ｙを備えるものであってもよい。また、前記電子カルテシステムＸは、前記サーバ装置Ｙ及び前記クライアント装置Ｚをそれぞれ１台のみ備える構成であってもよい。さらに、前記クライアント装置Ｚが前記サーバ装置Ｙの機能を兼ねたものであってもよく、この場合、前記クライアント装置Ｚが本願発明に係る電子カルテシステムを構成する。
【００１７】
＜サーバ装置Ｙ＞
図２に示すように、前記サーバ装置Ｙは、通信インターフェース１１及び記憶装置１２を備えている。前記通信インターフェース１１及び前記記憶装置１２はバス１３によって接続されている。
【００１８】
前記通信インターフェース１１は、前記通信ネットワーク２０を介して前記クライアント装置Ｚとの間でデータ通信を行う通信モデムなどを有する。また、前記通信インターフェース１１は、前記クライアント装置Ｚ等の外部装置から前記通信ネットワーク２０を通じた前記サーバ装置Ｙへのアクセスについて例えば認証制御及び排他制御などを実行する。
【００１９】
前記記憶装置１２は、患者各々の診療に関する情報が記録された電子カルテを蓄積して記憶するハードディスク又はフラッシュメモリなどの不揮発性の記憶装置である。前記電子カルテシステムＸでは、前記クライアント装置Ｚにおいて入力された電子カルテが前記サーバ装置Ｙの前記記憶装置１２に蓄積記憶される。
具体的に、前記記憶装置１２では、患者ごとに、個人情報、診療履歴情報、電子カルテがそれぞれ対応付けられた状態で記憶されている。前記個人情報は、例えば患者の氏名、性別、年齢、既往歴、家族情報などの情報を含む。前記診療履歴情報は、前記電子カルテ各々を識別するためのカルテ識別情報に相当するものであり、例えば患者が過去に診療を受けた日時、診療科、処置などの情報を含む。
また、１回（１日）の診療に関する電子カルテには、「Ｓ」、「Ｏ」、「Ａ」、「Ｐ」、「指導」の各項目に分類された診療データが含まれる。ここに、「Ｓ」は主観情報（Subjective Information）であって、患者が主観的に感じている症状などに関する情報である。「Ｏ」は客観情報（Objective Information）であって、医師の診療所見及び検査所見などに関する情報である。「Ａ」は評価情報（Assessment Information）であって、医師の評価及び判断などに関する情報である。「Ｐ」は計画情報（Plan Information）であって、投薬及び治療計画などに関する情報である。「指導」は指導情報であって、患者への教育及び指導などに関する情報である。なお、このような診療データの項目の分類は単なる一例に過ぎず、もちろん他の項目に分類してもよい。
【００２０】
＜クライアント装置Ｚ＞
一方、図２に示すように、前記クライアント装置Ｚは、ＣＰＵ１、ＲＯＭ２、ＲＡＭ３、データ記憶部４、通信インターフェース５、操作入力装置６及び表示装置７などを備えたコンピュータである。前記クライアント装置Ｚに設けられた各構成要素はバス１０によって接続されている。前記通信インターフェース５は、前記通信ネットワーク２０を介して前記サーバ装置Ｙとの間でデータ通信を行う通信モデムなどを有する。
【００２１】
前記ＣＰＵ１は、各種プログラムに従って各種の演算処理を実行するプロセッサーである。前記ＲＯＭ２は、前記ＣＰＵ１により実行されるＢＩＯＳ等のプログラムが予め記憶された不揮発性メモリである。前記ＲＡＭ３は、前記ＣＰＵ１による各種プログラムの展開及びデータの一時記憶に用いられる揮発性メモリ又は不揮発性メモリである。また、前記ＣＰＵ１は、各種処理の履歴をログ情報として前記ＲＡＭ３に記憶する。
【００２２】
前記データ記憶部４は、前記ＣＰＵ１によって実行される各種のアプリケーションプログラム及び各種のデータが記憶されたハードディスク等である。具体的に、前記データ記憶部４には、前記ＣＰＵ１に後述のカルテ表示処理（図１０参照）及びカルテ選択処理（図１１参照）などの各処理手順を実行させる電子カルテプログラムが記憶されている。例えば、前記電子カルテプログラムはＣ言語（Microsoft社のC/C++及びVisual C/C++（登録商標）など）で記述されたものである。この電子カルテプログラムも本発明に該当する。また、前記電子カルテプログラムは、例えばＣＤ、ＤＶＤ、ＢＤ、フラッシュメモリなどの記録媒体からインストールされるものである。ここに、前記電子カルテプログラムを記録したコンピュータ読み取り可能なＣＤ、ＤＶＤ、ＢＤ、フラッシュメモリなどの記録媒体も本発明に該当する。なお、前記電子カルテプログラムがインストールされた前記データ記憶部４も本発明に係る記録媒体に該当する。ところで、本発明は、前記クライアント端末Ｚの各機能を実現するために該クライアント端末Ｚで各処理工程を実行する電子カルテ表示方法の発明として捉えることもできる。
なお、前記データ記憶部４には、例えば医薬品マスター、病名マスター、医療行為マスター等の各種データベースも記憶されている。前記医薬品マスターは、医薬品名、医薬品コード、薬効などの情報である。前記病名マスターは、症状に関する情報である。前記医療行為マスターは、各医薬品の服用方法や身体のどの部位の症状であるか等に関する情報である。これらの各種データベースは、例えば医師が診療を行う際に前記操作入力装置６の操作に応じて前記ＣＰＵ１によって読み出され、前記表示装置７に表示される。
【００２３】
前記操作入力装置６は、医師などの操作者が前記クライアント装置Ｚへの各種情報の入力に使用するユーザインターフェースである。例えば、前記操作入力装置６は各種情報を入力するキーボード及びマウス（ポインティングデバイス）である。以下、前記表示装置７の表示画面上における「選択」及び「操作」とは、前記操作入力装置６のマウス又はキーボードを用いた操作入力によって行われることをいう。なお、前記操作入力装置６は、指又はタッチペンによる各種情報の入力を受け付けるべく前記表示装置７に配置されたタッチパネルを含むものであってもよい。また、前記操作入力装置６は、音声認識により各種情報の入力を受け付ける音声操作入力装置を含むものであってもよい。
【００２４】
前記表示装置７は、各種情報を表示する表示画面を有する表示装置である。前記表示装置７は、液晶ディスプレイ又は有機ＥＬディスプレイなどである。例えば、図３は、前記ＣＰＵ１が前記表示装置７に表示させる受信リスト画面３１の一例を示している。前記受信リスト画面３１は、電子カルテを記録する診療対象の患者を選択するための患者リスト３２が配置された操作画面である。前記受診リスト画面３１は、前記電子カルテシステムＸに接続された不図示の受付端末等で入力され、前記サーバ装置Ｙの前記記憶装置１２に記憶された患者リストに基づいて前記ＣＰＵ１によって生成される。
そして、前記患者リスト３２に表示された患者のうち、例えば患者３３が選択され、前記受信リスト画面３１に表示されたカルテ表示キー３４が操作されると、前記ＣＰＵ１は、その患者３３に関する電子カルテを前記サーバ装置Ｙから読み出して前記表示装置７の表示画面に表示させる。ここに、前記電子カルテを読み出すときの前記ＣＰＵ１が読出手段に相当する。
このとき、前記ＣＰＵ１は、前記電子カルテを含む各種の情報を配置したカルテ表示画面の描画データを生成し、該描画データを前記表示装置７に出力する。これにより、前記表示装置７は、前記ＣＰＵ１から入力された前記描画データに基づいて、前記電子カルテの診療データ等が表示画面上の既定の位置に配置されたカルテ表示画面を表示する。
【００２５】
＜カルテ表示画面＞
ここで、前記表示装置７に表示されるカルテ表示画面について説明する。ここに、図４〜図６は、前記ＣＰＵ１によって表示されるカルテ表示画面の配置構成の一例を模式的に示した図である。
図４〜図６に示すように、前記ＣＰＵ１は、前記表示装置７の表示画面を四つに分割し、過去カルテ表示画面４１、現在カルテ表示画面４２、患者表示画面４３及び入力画面４４を同一画面上に配置する。具体的に、前記ＣＰＵ１は、前記カルテ表示画面４０の上段を左右（幅方向）に均等に分割し、前記過去カルテ表示画面４１及び前記現在カルテ表示画面４２を左右方向に並べて表示させる。また、前記ＣＰＵ１は、前記カルテ表示画面４０の下段を左右（幅方向）に均等に分割し、前記患者表示画面４３及び前記入力画面４４を左右方向に並べて表示させる。なお、前記患者表示画面４３及び前記入力画面４４は、前記過去カルテ表示画面４１及び前記現在カルテ表示画面４２に比べて高さ方向の幅が小さい。このような前記カルテ表示画面４０の配置構成は、Ｃ言語で記述された前記電子カルテプログラムの作成時に、配置ダイヤグラムにアイテムを配置することによって定められる。なお、前記配置構成がＣＳＳ（Cascading Style Sheets）で定義されることも他の実施形態として考えられる。
【００２６】
前記過去カルテ表示画面４１は、前記ＣＰＵ１により前記サーバ装置Ｙの記憶装置１２から読み出された過去の電子カルテの診療データが配置される画面である。ここに、前記過去カルテ表示画面４１を含む前記カルテ表示画面４０を前記表示装置７に表示させるための処理（第１の表示制御工程）を実行するときの前記ＣＰＵ１が第１の表示制御手段に相当する。
また、前記現在カルテ表示画面４２は、現在の入力対象の電子カルテが配置される画面である。なお、図７〜図９に示すように、前記過去カルテ表示画面４１及び前記現在カルテ表示画面４２各々の内部は更に左右に分割されており、左側に「Ｓ」、「Ｏ」、「Ａ」、「Ｐ」「指導」の項目がこの順で表示され、右側に「Ｐ」の項目について保険診療点数などの計算に必要な情報（診療内容及び投薬量など）が表示される。この点は、従来のカルテ２号紙と同様である。
前記患者表示画面４３には、前記受診リスト画面３１で選択された患者の個人情報及び診療履歴情報などが表示される。また、前記入力画面４４には、前記現在カルテ表示画面４２に表示された電子カルテに各種の診療データを記録するために用いられるキーパッド等が表示される。前記キーパッドは、前記操作入力装置６のマウス、キーボードのテンキー、タッチパネルなどを用いて操作者により操作される。
【００２７】
また、前記ＣＰＵ１は、図４〜図６に示すように、前記過去カルテ表示画面４１に表示させる電子カルテの数によって該過去カルテ表示画面４１の配置構成を切り替える。
具体的に、一つの電子カルテを表示させる場合、前記ＣＰＵ１は、図４に示すように、前記過去カルテ表示画面４１を分割せず、該過去カルテ表示画面４１を一画面として一つの電子カルテの診療データを表示させる（図７参照）。
これに対し、二つの電子カルテを表示する場合、前記ＣＰＵ１は、図５に示すように、前記過去カルテ表示画面４１を上下方向（高さ方向）に均等に二分割し、その分割された表示領域４１Ａ、４１Ｂに異なる二日分の電子カルテの診療データを表示させる（図８参照）。具体的に、前記ＣＰＵ１は、前記過去カルテ表示画面４１の高さの１／２の前記表示領域４１Ａ、４１Ｂを該過去カルテ表示画面４１に上から順に挿入することにより、該過去カルテ表示画面４１を二分割して利用する。
さらに、三つの電子カルテを表示する場合、前記ＣＰＵ１は、図６に示すように、前記過去カルテ表示画面４１を上下方向（高さ方向）に均等に三分割し、その分割された表示領域４１Ｃ、４１Ｄ、４１Ｅに異なる三日分の電子カルテの診療データを表示させる（図９参照）。具体的に、前記ＣＰＵ１は、前記過去カルテ表示画面４１の高さの１／３の前記表示領域４１Ｃ〜４１Ｅを該過去カルテ表示画面４１に上から順に挿入することにより、該過去カルテ表示画面４１を三分割して利用する。
なお、本実施の形態では、前記ＣＰＵ１が、前記過去カルテ表示画面４１を一画面、二分割画面、三分割画面の３種類の表示状態に選択的に切り替え可能である構成を例に挙げて説明する。一方、より多くの種類の表示状態を切り替えることも他の実施例として考えられる。また、前記ＣＰＵ１が、前記過去カルテ表示画面４１を一画面と二分割画面との２種類に切り替えが可能であることも他の実施例として考えられる。もちろん、前記ＣＰＵ１が、前記過去カルテ表示画面４１を一画面と三分割画面との２種類に切り替えが可能であることも他の実施例として考えられる。
さらに、前記過去カルテ表示画面４１の分割方向は上下方向に限らない。具体的には、前記ＣＰＵ１が、前記過去カルテ表示画面４１を左右方向に二分割又は三分割させる構成が他の実施例として考えられる。また、前記カルテ表示画面４０における前記過去カルテ表示画面４１及び前記現在カルテ表示画面４２の配置も左右方向に限らない。即ち、前記ＣＰＵ１が、前記過去カルテ表示画面４１及び前記現在カルテ表示画面４２を上下方向に並べて表示させることも他の実施例として考えられる。
【００２８】
ここで、図８及び図９に示すように、前記表示領域４１Ａ〜４１Ｅ各々のサイズは上下方向に狭いため、電子カルテの診療データの全てを同時に表示することができない可能性がある。
そこで、前記ＣＰＵ１は、前記表示領域４１Ａ〜４１Ｅ各々に、該表示領域４１Ａ〜４１Ｅ内の表示をそれぞれ個別にスクロールさせるためのスクロールバー４１１Ａ〜４１１Ｅを表示させる（図８、図９）。なお、前記過去カルテ表示画面４１が分割されていない場合（図７参照）でも、電子カルテの診療データの全項目が表示されない場合には、該過去カルテ表示画面４１にスクロールバーが表示される。
そして、前記ＣＰＵ１は、前記操作入力装置６の操作に応じて前記スクロールバー４１１Ａ〜４１１Ｅを上下方向に移動させると共に、前記表示領域４１Ａ〜４１Ｅ内の前記診療データを上下方向にスクロール表示させる。例えば、前記ＣＰＵ１は、前記表示領域４１Ｃ〜４１Ｅのうち表示領域４１Ｃの前記スクロールバー４１１Ｃが操作された場合、該表示領域４１Ｃに表示された前記診療データのみをスクロールさせる。このとき、他の前記表示領域４１Ｄ、４１Ｅ各々の診療データの表示はスクロールしない。
なお、前記スクロールバー４１１Ａ〜４１１Ｅ各々は、前記過去カルテ表示画面４１における前記表示領域４１Ａ〜４１Ｅの分割方向（上下方向）に、該表示領域４１Ａ〜４１Ｅ各々の表示をスクロールさせるものである。従って、仮に前記表示領域４１Ａ〜４１Ｅが左右方向に分割されたものである場合は、前記スクロールバー４１１Ａ〜４１１Ｅは、その分割方向である左右方向に表示をスクロールさせるために用いられるものとなる。
【００２９】
また、図７に示すように、前記ＣＰＵ１は、前記過去カルテ表示画面４１の下端部に、複数の分割設定タブ５１〜５３（分割設定部に相当）及び複数の項目設定タブ６１〜６５（項目設定部に相当）を表示させる。なお、本実施の形態において前記表示装置７に表示され、前記操作入力装置６によって選択又は操作される「タブ」と称される部分は、一般に「キー」又は「ボタン」等とも称される。
前記分割設定タブ５１〜５３は、前記過去カルテ表示画面４１に表示する電子カルテの数、即ち前記過去カルテ表示画面４１の分割数を設定するためのタブである。前記分割設定タブ５１は１日分、前記分割設定タブ５２は２日分、前記分割設定タブ５３は３日分に対応する。ここに、前記分割設定タブ５１〜５３を前記表示装置７に表示させるときの前記ＣＰＵ１が第５の表示制御手段に相当する。なお、本実施の形態では、日単位で電子カルテの数を特定しているが診療単位で電子カルテの数を特定してもよい。そして、後述するように、前記ＣＰＵ１は、前記分割設定タブ５１〜５３のうち前記操作入力装置６により選択された分割設定タブに対応する分割数で分割された前記過去カルテ表示画面４１を前記表示装置７に表示させる。
前記項目設定タブ６１〜６５は、前記過去カルテ表示画面４１に表示する電子カルテの診療データの各項目に対応する。具体的に、前記項目設定タブ６１は「Ｓ」、前記項目設定タブ６２は「Ｏ」、前記項目設定タブ６３は「Ａ」、前記項目設定タブ６４は「Ｐ」、前記項目設定タブ６５は「指導」に対応する。ここに、前記項目設定タブ６１〜６５を前記表示装置７に表示させるための処理（第３の表示制御工程）を実行するときの前記ＣＰＵ１が第３の表示制御手段に相当する。そして、後述するように、前記ＣＰＵ１は、前記項目設定タブ６１〜６５のうち前記操作入力装置６により選択された項目設定タブに対応する項目が先頭になるように前記過去カルテ表示画面４１における診療データの表示対象箇所を変更する。
また、前記ＣＰＵ１は、前記カルテ表示画面４０の前記患者表示画面４３に、該患者表示画面４３に表示された患者の診療履歴情報を表示させるための診療履歴タブ４３１が表示されている。そして、後述するように、前記ＣＰＵ１は、前記診療履歴タブ４３１が操作されると、前記患者表示画面４３に患者の診療履歴情報を表示させる。
【００３０】
＜電子カルテシステムＸの動作＞
以下、図１０及び図１１のフローチャートを参照しつつ、前記ＣＰＵ１が前記電子カルテプログラムに従って実行するカルテ表示処理（図１０）及びカルテ選択処理（図１１）の手順の一例について説明する。なお、図示するＳ１、Ｓ２、…は前記ＣＰＵ１が実行する処理手順（ステップ）番号を示す。また、当該カルテ表示処理及び当該カルテ選択処理は前記ＣＰＵ１によって並列に実行される。
ところで、本実施の形態で説明する前記カルテ表示処理及び前記カルテ選択処理は、前記ＣＰＵ１が前記電子カルテプログラムに従って実行する処理の一部である。例えば前記ＣＰＵ１は、前記電子カルテプログラムに従って前記電子カルテの登録及び変更などの処理も実行するが、ここではその説明を省略する。
【００３１】
＜カルテ表示処理＞
（ステップＳ１）
図１０に示すように、まず、ステップＳ１において、前記ＣＰＵ１は、前記過去カルテ表示画面４１に表示させる電子カルテの表示日数が１日に設定されているか否かを判断する。このとき、前記ＣＰＵ１は、前記表示日数タブ５１〜５３のうち前記表示日数タブ５１が選択されているか否かを判断する。
具体的に、前記ＣＰＵ１は、表示日数の値を示す表示日数フラグを前記ＲＡＭ３の記憶領域に確保している。そして、前記ＣＰＵ１は、前記操作入力装置６による前記表示日数タブ５１〜５３の操作に応じて前記表示日数フラグの値を更新する（１：１日、２：２日、３：３日）。この場合、前記ＣＰＵ１は、前記ＲＡＭ３の表示日数フラグを参照することにより前記表示日数タブ５１〜５３のいずれが選択されているかを判断することができる。なお、前記表示日数フラグの初期値は「１」である。その他、前記ＣＰＵ１が前記表示日数タブ５１〜５３の操作ログを前記ＲＡＭ３に記憶させる構成では、該ＣＰＵ１はその操作ログを参照することで前記表示日数タブ５１〜５３のいずれが選択されているかを判断することができる。
ここで、表示日数が１日に設定されていると判断された場合（Ｓ１のＹｅｓ側）、処理はステップＳ１１に移行する。一方、表示日数が１日でないと判断された場合（Ｓ１のＮｏ側）、処理はステップＳ２に移行する。
【００３２】
（ステップＳ２）
ステップＳ２において、前記ＣＰＵ１は、前記過去カルテ表示画面４１に表示させる電子カルテの表示日数が２日に設定されているか否かを判断する。具体的に、前記ＣＰＵ１は、前記ステップＳ１と同様の手法で、前記表示日数タブ５１〜５３のうち前記表示日数タブ５２が選択されているか否かを判断する。
ここで、表示日数が２日に設定されていると判断された場合（Ｓ２のＹｅｓ側）、処理はステップＳ１２に移行する。一方、表示日数が２日でないと判断された場合（Ｓ２のＮｏ側）、即ち表示日数が３日に設定されている場合、処理はステップＳ１３に移行する。
【００３３】
（ステップＳ１１）
ステップＳ１１において、前記ＣＰＵ１は、１日分の電子カルテを前記表示装置７の前記過去カルテ表示画面４１に表示させる。具体的に、前記ＣＰＵ１は、前記サーバ装置Ｙの記憶装置１２から、予め設定された１日分の電子カルテを読み出す。なお、初期設定では、ここで読み出される電子カルテは最新の１日分の電子カルテである。ここに、前記電子カルテを読み出すための処理（読出工程）を実行するときの前記ＣＰＵ１が読出手段に相当する。
そして、前記ＣＰＵ１は、前記１日分の電子カルテを含む各種情報を配置した前記カルテ表示画面４０を前記表示装置７に表示させる（図７参照）。
但し、後述のカルテ選択処理（図１１参照）において他の電子カルテが選択された場合は、その選択された電子カルテが読み出されて表示される。また、表示対象となる１日分の電子カルテが既に表示されている場合には再度の読み出しは行われず、その表示状態が維持される。
【００３４】
（ステップＳ１２）
一方、ステップＳ１２において、前記ＣＰＵ１は、前記複数の分割設定タブ５１〜５３のうち前記操作入力装置６によって選択された分割設定タブ５２に対応する分割数「２」で前記過去カルテ表示画面４１を上下方向に分割し、２日分の電子カルテを表示させる。
具体的に、前記ＣＰＵ１は、前記サーバ装置Ｙの記憶装置１２から、予め設定された２日分の電子カルテを読み出す。なお、初期設定では、ここで読み出される電子カルテは最新の２日分の電子カルテである。ここに、前記電子カルテを読み出すときの前記ＣＰＵ１が読出手段に相当する。そして、前記ＣＰＵ１は、前記２日分の電子カルテを含む各種情報を配置した前記カルテ表示画面４０を前記表示装置７に表示させる。即ち、前記ＣＰＵ１は、前記過去カルテ表示画面４１を上下二つの表示領域４１Ａ、４１Ｂに分割し、前記表示領域４１Ａ、４１Ｂ各々に異なる前記電子カルテの診療データを表示させる（図８参照）。ここに、係る処理（第２の表示制御工程）を実行するときの前記ＣＰＵ１が第２の表示制御手段に相当する。このとき、前記表示領域４１Ａ、４１Ｂ各々において、前記電子カルテの診療データは、先頭から「Ｓ」、「Ｏ」、「Ａ」、「Ｐ」、「指導」の順で表示される。
但し、後述のカルテ選択処理（図１１参照）において他の電子カルテが選択された場合は、その選択された電子カルテが読み出されて表示される。また、表示対象となる２日分の電子カルテが既に表示されている場合には再度の読み出しは行われず、その表示状態が維持される。
【００３５】
（ステップＳ１３）
また、ステップＳ１３において、前記ＣＰＵ１は、前記複数の分割設定タブ５１〜５３のうち前記操作入力装置６によって選択された分割設定タブ５３に対応する分割数「３」で前記過去カルテ表示画面４１を上下方向に分割し、３日分の電子カルテを表示させる。具体的に、前記ＣＰＵ１は、前記サーバ装置Ｙの記憶装置１２から、予め設定された３日分の電子カルテを読み出す。なお、初期設定では、ここで読み出される電子カルテは最新の３日分の電子カルテである。ここに、前記電子カルテを読み出すときの前記ＣＰＵ１が読出手段に相当する。そして、前記ＣＰＵ１は、前記３日分の電子カルテを含む各種情報を配置した前記カルテ表示画面４０を前記表示装置７に表示させる。即ち、前記ＣＰＵ１は、前記過去カルテ表示画面４１を上下三つの表示領域４１Ｃ〜４１Ｅに分割し、前記表示領域４１Ｃ〜４１Ｅ各々に異なる前記電子カルテの診療データを表示させる（図９参照）。ここに、係る処理（第２の表示制御工程）を実行するときの前記ＣＰＵ１が第２の表示制御手段に相当する。このとき、前記表示領域４１Ｃ〜４１Ｅ各々において、前記電子カルテの診療データは、先頭から「Ｓ」、「Ｏ」、「Ａ」、「Ｐ」、「指導」の順で表示される。
但し、後述のカルテ選択処理（図１１参照）において他の電子カルテが選択された場合は、その選択された電子カルテが読み出されて表示される。また、表示対象となる３日分の電子カルテが既に表示されている場合には再度の読み出しは行われず、その表示状態が維持される。
【００３６】
（ステップＳ３）
次に、ステップＳ３において、前記ＣＰＵ１は、前記項目設定タブ６１〜６５のいずれが選択されているかを特定する。
具体的に、前記ＣＰＵ１は、前記ＲＡＭ３の記憶領域に項目設定フラグを確保している。そして、前記ＣＰＵ１は、前記操作入力装置６による前記項目設定タブ６１〜６５の操作に応じて前記項目設定フラグの値を更新する（１：「Ｓ」、２：「Ｏ」、３：「Ａ」、４：「Ｐ」、５：「指導」）。これにより、前記ＣＰＵ１は、前記ＲＡＭ３の項目設定フラグを参照することにより前記項目設定タブ６１〜６５のいずれが選択されているかを判断することができる。なお、前記項目設定フラグの初期値は「１」である。その他、前記ＣＰＵ１が前記項目設定タブ６１〜６５の操作ログを前記ＲＡＭ３に記憶させる構成では、該ＣＰＵ１はその操作ログを参照することで前記項目設定タブ６１〜６５のいずれが選択されているかを判断することができる。
【００３７】
（ステップＳ４）
そして、ステップＳ４において、前記ＣＰＵ１は、前記過去カルテ表示画面４１に表示される全ての電子カルテの診療データを、前記項目設定タブ６１〜６５のうち選択された項目設定タブに対応する項目を先頭にして表示させる。ここに、係る処理（第４の表示制御工程）を実行するときの前記ＣＰＵ１が第４の表示制御手段に相当する。
具体的に、前記ＣＰＵ１は、前記電子カルテの診療データを前記過去カルテ表示画面４１に配置して表示させるときに、該診療データの各項目のヘッダー部（項目名が表示される箇所）に対応する位置情報を前記ＲＡＭ３に記憶する。これにより、前記ＣＰＵ１は、前記ステップＳ４において、前記ＲＡＭ３に記憶されている位置情報を読み出し、前記項目設定タブ６１〜６５うち選択された項目設定タブに対応する項目が先頭に表示されるように、前記過去カルテ表示画面４１における電子カルテの診療データの表示対象箇所を調整することが可能となる。
【００３８】
例えば、図１２に示す前記過去カルテ表示画面４１では、前記表示領域４１Ｃ〜４１Ｅ各々に「Ｓ」、「Ｏ」、「Ａ」、「Ｐ」、「指導」の順で診療データが表示されている。このとき、「Ｏ」の項目に対応する前記項目設定タブ６２が選択された場合を考える。なお、図１２に示す前記表示領域４１Ｃにおいて、電子カルテの「Ｏ」の項目が先頭に表示されているのは、当該電子カルテに「Ｓ」の項目が記録されていないためである。
この場合、前記ＣＰＵ１は、前記過去カルテ表示画面４１の前記表示領域４１Ｃ〜４１Ｅの全てについて、前記スクロールバー４１１Ｃ〜４１１Ｅ各々の位置を個別に制御し、図１３に示すように、前記表示領域４１Ｃ〜４１Ｅ各々において「Ｏ」の項目が先頭位置となるように診療データを表示させる。具体的に図１３を参照すれば、前記スクロールバー４１１Ｄ、４１１Ｅが下方に移動していることがわかる。これにより、医師は、前記項目設定タブ６１〜６５を選択するという簡単な操作で、前記表示領域４１Ｃ〜４１Ｅ各々に表示された全ての電子カルテについて、「Ｏ」の項目の診療データを一画面上で参照することができる。
ところで、「Ｓ」、「Ｏ」、「Ａ」、「Ｐ」、「指導」のいずれかの項目が記録されていない電子カルテが表示されているときに、その記録のない項目に対応する前記項目設定タブ６１〜６５のいずれかが選択された場合、前記ＣＰＵ１は、その項目に対応する記録がない旨を前記カルテ表示画面４０にポップアップ表示させることが望ましい。例えば、複数の電子カルテが表示されている場合には、その項目の記録がない電子カルテの表示領域上で前記ポップアップ表示を行えばよい。なお、この表示手法は、ポップアップ表示に限らず、ステータスバーへの表示や警告音表示も他の実施例として考えられる。
なお、本実施の形態では、前記ステップＳ４において、前記項目設定タブ６１〜６５のうち選択された項目設定タブに対応する項目が先頭位置となるように診療データを表示させる場合について説明した。一方、前記ＣＰＵ１は、前記ステップＳ４において、前記表示領域４１Ｃ〜４１Ｅ各々に表示される全ての前記電子カルテの診療データについて、前記項目設定部６１〜６５のうち選択された項目設定部に対応する項目を少なくとも表示させるものであればよい。即ち、選択された項目の表示位置は、前記表示領域４１Ｃ〜４１Ｅ各々における先頭に限らず、該表示領域４１Ｃ〜４１Ｅ各々において先頭位置より下方の位置、例えば中央に表示されることも考えられる。
また、前記ＣＰＵ１が、上下方向及び左右方向に対応する二つのスクロールバーを表示させ、該スクロールバー各々の操作に従って表示を上下左右にスクロールさせる構成では、前記ＣＰＵ１は、前記ステップＳ４において、選択された項目が少なくとも表示されるように、前記スクロールバー各々の位置を調整して前記表示領域４１Ａ〜４１Ｅ各々の診療データの表示位置を上下左右に移動させる。
【００３９】
＜カルテ選択処理＞
続いて、図１１を参照しつつ前記カルテ選択処理の手順の一例について説明する。ここに、図示するＳ２１、Ｓ２２、…は前記ＣＰＵ１が実行する処理手順（ステップ）番号を示す。
当該カルテ選択処理は、前記カルテ表示処理の前記ステップＳ１１〜Ｓ１３において前記過去カルテ表示画面４１内に表示される電子カルテを選択するために実行される処理である。
【００４０】
（ステップＳ２１）
図１１に示すように、ステップＳ２１において、前記ＣＰＵ１は、前記患者表示画面４３に表示された前記診療履歴タブ４３１（図７参照）が選択されているか否かを判断する。
具体的に、前記ＣＰＵ１は、前記ＲＡＭ３の記憶領域に診療履歴フラグを確保している。そして、前記ＣＰＵ１は、前記操作入力装置６により前記診療履歴タブ４３１が選択されると、該診療履歴タブ４３１に対応して前記ＲＡＭ３に確保された診療履歴フラグをＯＮする。一方、前記診療履歴タブ４３１と並んで表示された他のタブが選択された場合、前記ＣＰＵ１は前記診療履歴フラグをＯＦＦにする。従って、当該ステップＳ２１において、前記ＣＰＵ１は、前記ＲＡＭ３の前記診療履歴フラグを参照することにより、前記診療履歴タブ４３１の選択の有無を判断することができる。
ここで、前記診療履歴タブ４３１が選択されていると判断された場合（Ｓ２１のＹｅｓ側）、処理はステップＳ２２に移行する。なお、前記診療履歴タブ４３１が選択されるまでの間（Ｓ２１のＮｏ側）、処理は当該ステップＳ２１で待機される。
【００４１】
（ステップＳ２２）
ステップＳ２２において、前記ＣＰＵ１は、現在表示対象である患者の過去の診療履歴情報のリストを前記サーバ装置Ｙの記憶装置１２から読み出し、該診療履歴情報のリストを配置したリスト表示画面４３Ａを前記患者表示画面４３に表示させる（図１４参照）。即ち、前記ＣＰＵ１は、前記リスト表示画面４３Ａを前記過去カルテ表示画面４１及び前記現在カルテ表示画面４２と共に前記表示装置７の同一画面上に表示させる。
図１４に示す前記リスト表示画面４３Ａでは、診療の受付日が新しい順に診療履歴情報が表示されている。なお、前記ＣＰＵ１は、前記リスト表示画面４３Ａの受付日タブ４３Ｂの操作に応じて前記診療履歴情報のリストの表示順を受付日の昇順又は降順に切り替えて表示させる。
また、前記ＣＰＵ１は、前記リスト表示画面４３Ａにおいて、前記診療履歴情報のリストを絞り込む絞込条件を設定するための絞込タブ４３Ｃ（絞込部に相当）を表示させる。前記絞込タブ４３Ｃは、投薬、注射、処置などの各項目により前記リスト表示画面４３Ａに表示された複数の前記診療履歴情報を絞り込むための複数の絞込キーを含む。ここに、前記絞込タブ４３Ｃを表示させるときの前記ＣＰＵ１が第６の表示制御手段に相当する。
【００４２】
（ステップＳ２３）
続いて、ステップＳ２３において、前記ＣＰＵ１は、前記絞込タブ４３Ｃの操作により絞込条件が設定されたか否かを判断する。例えば、図１５に示すように、前記絞込タブ４３Ｃの投薬の項目の絞込キーが操作された場合、前記ＣＰＵ１は、その投薬の項目についての絞込条件を設定するためのプルダウンメニューを表示させる。そして、前記ＣＰＵ１は、前記プルダウンメニューで表示された絞込条件が選択されると、その絞込条件が有効となるように設定する。
ここで、絞込条件が設定されたと判断されると（Ｓ２３のＹｅｓ側）、処理はステップＳ２４に移行する。一方、絞込条件が設定されていないと判断されると（Ｓ２３のＮｏ側）、処理はステップＳ２５に移行する。
【００４３】
（ステップＳ２４）
ステップＳ２４において、前記ＣＰＵ１は、前記診療履歴情報のリストのうち前記操作入力装置６によって操作された前記絞込タブ４３Ｃの絞込キーに対応する絞込条件に合致する診療履歴情報のみを抽出して前記リスト表示画面４３Ａに表示させる。ここに、図１６は、図１５において前記絞込タブ４３Ｃの投薬の項目の絞込キーが操作され、投薬有り（●）が絞込条件として設定された場合の表示例を示している。
【００４４】
（ステップＳ２５）
次に、ステップＳ２５において、前記ＣＰＵ１は、前記カルテ表示処理（図１０参照）の前記ステップＳ１と同様に、前記過去カルテ表示画面４１に表示される電子カルテの日数が１日であるか否かを判断する。
ここで、表示日数が１日であると判断された場合（Ｓ２５のＹｅｓ側）、処理はステップＳ２６に移行する。一方、表示日数が１日でないと判断された場合（Ｓ２５のＮｏ側）、処理はステップＳ３１に移行する。
【００４５】
（ステップＳ２６）
ステップＳ２６において、前記ＣＰＵ１は、前記リスト表示画面４３Ａにおいて選択された診療履歴情報が変更されたか否かを判断する。即ち、前記ＣＰＵ１は、現在前記過去カルテ表示画面４１に表示中の電子カルテとは異なる電子カルテに対応する診療履歴情報が選択されたか否かを判断する。
ここで、前記診療履歴情報の選択が変更されたと判断された場合（Ｓ２６のＹｅｓ側）、処理はステップＳ２７に移行する。一方、前記診療履歴情報の選択が変更されていないと判断された場合（Ｓ２６のＮｏ側）、処理は前記ステップＳ２１に戻される。
【００４６】
（ステップＳ２７）
ステップＳ２７において、前記ＣＰＵ１は、前記診療履歴情報の選択変更後の診療履歴情報に対応する電子カルテを前記カルテ表示処理（図１０参照）の前記ステップＳ１１における表示対象として設定する。
これにより、前記ＣＰＵ１は、前記ステップ１１において、前記ステップＳ２７で設定された１日分の電子カルテを前記サーバ装置Ｙの記憶装置１２から読み出して前記過去カルテ表示画面４１に表示させる。
【００４７】
（ステップＳ３１）
一方、前記過去カルテ表示画面４１に表示される電子カルテの日数が２日又は３日である場合（Ｓ２５のＮｏ側）、前記ＣＰＵ１は、ステップＳ３１において、前記操作入力装置６のキーボードに設けられた任意選択キーが操作されているか否かを判断する。前記任意選択キーは、前記診療履歴情報のリストの中から任意の診療履歴情報を選択するキーとして予め定められたものであって、例えば前記キーボードの「Ｃｔｒｌ」キーがそれに該当する。
ここで、前記任意選択キーが操作されていると判断されると（Ｓ３１のＹｅｓ側）、処理はステップＳ３２に移行する。一方、前記任意選択キーが操作されていないと判断されると（Ｓ３１のＮｏ側）、処理はステップＳ３４に移行する。
【００４８】
（ステップＳ３２）
ステップＳ３２において、前記ＣＰＵ１は、前記リスト表示画面４３Ｃに表示された診療履歴情報が選択されたか否かを判断する。
ここで、前記診療履歴情報が選択されたと判断されると（Ｓ３２のＹｅｓ側）、処理はステップＳ３３に移行し、前記診療履歴情報が選択されなければ（Ｓ３３のＮｏ側）、処理は前記ステップＳ２１に戻される。
【００４９】
（ステップＳ３３）
ステップＳ３３において、前記ＣＰＵ１は、前記ステップＳ３２で任意に選択されたと判断された前記診療履歴情報に対応する電子カルテを前記過去カルテ表示画面４１に表示させる。具体的に、前記ＣＰＵ１は、前記ステップＳ３２で任意に選択された前記診療履歴情報に対応する電子カルテを前記サーバ装置Ｙの記憶装置１２から読み出して前記過去カルテ表示画面４１に表示させる。このとき、前記ＣＰＵ１は、前記操作入力装置６による選択順で前記電子カルテ各々を前記過去カルテ表示画面４１の先頭の表示領域から表示させる。
例えば、前記表示日数が３日である場合には、一つ目に選択された診療履歴情報に対応する電子カルテが前記過去カルテ表示画面４１Ｃに表示される。そして、二つ目に選択された診療履歴情報に対応する電子カルテは前記過去カルテ表示画面４１Ｄに表示される。その後、三つ目に選択された診療履歴情報に対応する電子カルテは前記過去カルテ表示画面４１Ｅに表示される（図１７参照）。なお、図１７では、前記リスト表示画面４３Ａに表示された診療履歴情報のうち上から８番目、５番目、２番目の診療履歴情報４３３、４３２、４３１が順に選択されている。そして、図１７では、前記表示領域４１Ｃ、４１Ｄ、４１Ｅに、前記診療履歴情報４３３、４３２、４３１に対応する電子カルテがそれぞれ表示されている。
また、前記表示日数が２日である場合にも同じく、一つ目に選択された診療履歴情報に対応する電子カルテが前記過去カルテ表示画面４１Ａに表示される。そして、二つ目に選択された診療履歴情報に対応する電子カルテは前記過去カルテ表示画面４１Ｂに表示される。
このとき、前記表示日数が２日である場合、前記ＣＰＵ１は、二つの診療履歴情報が選択されるまでの間、前記過去カルテ表示画面４１の前記表示領域４１Ｂに空白を表示させる。同じく、前記表示日数が３日である場合、前記ＣＰＵ１は、二つ目の診療履歴情報が選択されるまでの間は、前記過去カルテ表示画面４１の前記表示領域４１Ｄ、４１Ｅに空白を表示させ、三つ目の診療履歴情報が選択されるまでの間は、前記過去カルテ表示画面４１の前記表示領域４１Ｅに空白を表示させる。
【００５０】
このように、前記ＣＰＵ１は、前記リスト表示画面４３Ａに表示された複数の診療履歴情報のうち前記操作入力装置６により複数の診療履歴情報が任意選択された場合、該任意選択された複数の診療履歴情報に対応する２日分又は３日分の電子カルテを前記過去カルテ表示画面４１に表示させる。従って、医師などの操作者は、前記操作入力装置６により所望の複数の診療履歴情報を選択して前記過去カルテ表示画面４１で参照することができる。
特に、図１６に示したように、前記ステップＳ２３〜Ｓ２４において前記絞込タブ４３Ｃの操作に応じてリスト表示画面４３Ａに表示させる診療履歴情報を絞り込んだ状態で、前記ステップＳ３２〜Ｓ３３において任意の３日分の診療履歴情報を選択表示させることが可能である。具体的に、図１６では、前記ステップＳ２４で絞り込まれた後、前記リスト表示画面４３Ａに表示された診療履歴情報のうち上から４番目、２番目、１番目の診療履歴情報４３６、４３５、４３４が順に選択されている。そして、図１６では、前記表示領域４１Ｃ、４１Ｄ、４１Ｅに、前記診療履歴情報４３６、４３５、４３４に対応する電子カルテがそれぞれ表示されている。
これにより、診療履歴情報が多量に蓄積された状態であっても、操作者は簡単な操作によって所望の電子カルテを任意に選んで前記過去カルテ表示画面４１に表示させることができる。
【００５１】
（ステップＳ３４）
一方、前記ステップＳ３４において、前記ＣＰＵ１は、前記リスト表示画面４３Ａにおいて選択された診療履歴情報が変更されたか否かを判断する。具体的に、前記ＣＰＵ１は、現在前記過去カルテ表示画面４１の先頭に表示された電子カルテとは異なる電子カルテに対応する診療履歴情報が選択されたか否かを判断する。
ここで、前記診療履歴情報の選択が変更されたと判断された場合（Ｓ３４のＹｅｓ側）、処理はステップＳ３５に移行する。一方、前記診療履歴情報の選択が変更されていないと判断された場合（Ｓ３４のＮｏ側）、処理は前記ステップＳ２１に戻される。
【００５２】
（ステップＳ３５）
ステップＳ３５において、前記ＣＰＵ１は、前記診療履歴情報の選択変更後の診療履歴情報を基準としてそれ以前に連続表示された２日分又は３日分に対応する電子カルテを前記リスト表示画面４３Ａから選択して表示対象として設定する。
具体的に、前記過去カルテ表示画面４１に表示される電子カルテの日数が３日である場合、前記ＣＰＵ１は、前記ステップＳ３４で選択された診療履歴情報の診療日を含む該診療日以前の３日分の電子カルテを前記カルテ表示処理（図１０参照）の前記ステップＳ１３における表示対象として設定する。これにより、前記ＣＰＵ１は、前記ステップ１３において、前記ステップＳ３５で設定された３日分の電子カルテを前記サーバ装置Ｙの記憶装置１２から読み出して前記過去カルテ表示画面４１に表示させる（図１８参照）。ここで、図１８では、前記ステップＳ３４において前記リスト表示画面４３Ａの上から５番目の診療履歴情報４３７が選択され、前記ステップＳ３５でそれ以前の３日分の診療履歴情報４３８に対応する電子カルテが表示対象として設定されている。また、その後、前記項目設定タブ６４が操作されたことにより、前記ＣＰＵ１によって、前記過去カルテ表示画面４１の表示領域４１Ｃ〜４１Ｅ各々において「Ｐ」の項目の診療データが先頭に表示された状態を示している。
また、前記過去カルテ表示画面４１に表示される電子カルテの日数が２日である場合にも同じく、前記ＣＰＵ１は、前記ステップＳ３４で選択された診療履歴情報の診療日を含む該診療日以前の２日分の電子カルテを前記カルテ表示処理（図１０参照）の前記ステップＳ１２における表示対象として設定する。これにより、前記ＣＰＵ１は、前記ステップ１２において、前記ステップＳ３５で設定された２日分の電子カルテを前記サーバ装置Ｙの記憶装置１２から読み出して前記過去カルテ表示画面４１に表示させる。
このように、前記ＣＰＵ１は、前記リスト表示画面４３Ａに表示された複数の診療履歴情報のうち前記操作入力装置６により一つの診療履歴情報が選択された場合、該選択された一つの診療履歴情報の以前又は以後に連続表示された２日分又は３日分の診療履歴情報に対応する電子カルテを前記過去カルテ表示画面４１に表示させる。
なお、当該ステップＳ３５において、前記ＣＰＵ１は、前記診療履歴情報の選択変更後の診療履歴情報を基準としてそれ以後に連続表示された２日分又は３日分に対応する電子カルテを前記リスト表示画面４３Ａから選択して表示対象として設定してもよい。
【００５３】
ところで、前記ステップＳ２７、Ｓ３３、Ｓ３５各々において、前記ＣＰＵ１は、前記リスト表示画面４３Ｃにおいて選択された診療履歴情報の表示色（例えば背景や文字の配色）を他の診療履歴情報と異なる色、例えば水色に変更する。ここに、係る処理を実行するときの前記ＣＰＵ１が色変更手段に対応する。これにより、操作者に選択された診療履歴情報を視覚的に認識させることができる。
また、このとき、前記ＣＰＵ１が、前記診療履歴リスト画面で選択された診療履歴情報の表示色各々を異なる色とし、該診療履歴情報に対応する電子カルテが表示される過去カルテ表示画面のヘッダー部分の表示色各々に同じ色を用いることが考えられる。これにより、医師は診療履歴情報と電子カルテとの対応関係を一目で把握することが可能となる。
なお、本実施の形態では、前記表示領域４１Ｃ〜４１Ｅ各々において所定の項目を先頭に表示させる手法として,前記スクロールバー４１１Ａ〜４１１Ｅの位置を変更して前記表示領域４１Ａ〜４１Ｅ各々における表示対象箇所を変更することについて説明した。一方、例えば、前記表示領域４１Ａ〜４１Ｅ各々に表示される項目の順序を並べ替えることにより前記表示領域４１Ｃ〜４１Ｅ各々において所定の項目を先頭に表示させることも他の実施形態として考えられる。
【００５４】
＜その他の機能＞
以下、前記クライアント装置Ｚにおいて前記ＣＰＵ１が前記電子カルテプログラムを実行することにより実現するその他の機能について説明する。
【００５５】
＜動作設定機能＞
前記ＣＰＵ１は、操作者による前記操作入力装置６の操作に応じて、前記受診リスト画面３１において患者を選択したときに初期表示される前記過去カルテ表示画面４１に、１日分〜３日分のいずれを表示させるかを予め設定する機能を有する。
また、前記ＣＰＵ１は、操作者による前記操作入力装置６の操作に応じて、前記過去カルテ表示画面４１に２日分又は３日分の電子カルテを表示させる際に、上から新しい電子カルテを表示させるか、下から新しい電子カルテを表示させるかを予め設定する機能を有する。
【００５６】
＜ドラッグ・アンド・ドロップ機能＞
前記ＣＰＵ１は、前記操作入力装置６のマウスのドラッグ・アンド・ドロップ（Ｄ＆Ｄ）操作が行われた場合に、前記過去カルテ表示画面４１の内容を前記現在カルテ表示画面４２にコピーする機能を有する。
これにより、医師は、過去の診療データと同様の診療データを入力する手間を省くことができる。なお、前記過去カルテ表示画面４１が分割されて複数の電子カルテが表示されている状態では、同一電子カルテ内であれば複数の項目を同時にドラッグ・アンド・ドロップ操作によりコピー可能である。
【００５７】
＜リンク機能＞
前記ＣＰＵ１は、前記電子カルテの診療データの登録時に、該診療データに含まれるシェーマ、医薬品情報、又はバインダなどの情報を表示させるためのリンク情報を貼り付ける機能を有する。そして、前記ＣＰＵ１は、リンク情報が貼り付けられた電子カルテが前記過去カルテ表示画面４１に表示されたとき、そのリンク情報が前記操作入力装置６のマウスで操作（クリック）された場合に、そのリンク情報に対応するシェーマ、医薬品情報、又はバインダなどの情報を表示させる機能を有する。なお、シェーマは、図によって病状を記載したものである。医薬品情報は、医薬品の名称、型番、消費期限、外観画像、効能などである。バインダは、電子カルテに関連づけて記録された文書ファイル又はイメージファイル等である。
【００５８】
＜サイズ変更機能＞
ところで、前述したように、前記ＣＰＵ１により前記過去カルテ表示画面４１が複数の表示領域に分割される際、その分割は均等に行われることが考えられる。一方、前記ＣＰＵ１は、例えば前記表示領域４１Ａ〜４１Ｅ各々の列幅や文字サイズなどを、医師による前記操作入力装置６の操作に応じて変更する機能を有する。これにより、医師の好みに応じて前記過去カルテ表示画面４１のレイアウトを設定することが可能となる。なお、前記ＣＰＵ１が、幅サイズや文字サイズの変更可能時期を、１日分の電子カルテを前記過去カルテ表示画面４１に表示させている場合に限定することも考えられる。
【００５９】
＜変更履歴蓄積機能＞
また、前記ＣＰＵ１は、前記電子カルテの修正などが行われたとき、その修正前後の両方の診療データを保持する機能を有する。例えば、前記修正前の電子カルテを第１版としてその作成者や作成日時と共に記憶する。一方、前記修正後の電子カルテは第２版としてその修正者や修正日時と共に記憶する。そして、前記ＣＰＵ１は、前記過去カルテ表示画面４１に前記電子カルテを表示する際には、最新の前記第２版の電子カルテを表示させ、該電子カルテのヘッダー部の受付日時の欄がマウスの右クリック操作により、その電子カルテの過去の版番号のデータを表示させる。
【００６０】
＜ページ変更機能＞
ここに、図１９は、前記過去カルテ表示画面４１の下部に設けられた操作部４１０の拡大図である。
図１９（Ａ）に示すように、前記操作部４１０には、前記表示日数タブ５１〜５３及び前記項目設定タブ６１〜６５などが配置されている。また、前記ＣＰＵ１は、前記表示装置７の前記操作部４１０に、前記過去カルテ表示画面４１に表示される電子カルテをその直前及び直後に１つずつ切り替えるための戻りタブ７１及び送りタブ７２（第１の切替部に相当）を表示させる。ここに、係る表示処理を実行するときの前記ＣＰＵ１が第７の表示制御手段に相当する。また、前記操作部４１０には、前記過去カルテ表示画面４１に表示される電子カルテを前回（最新）の電子カルテにワンタッチで切り替えるための前回タブ７３も表示されている。
そして、前記ＣＰＵ１は、前記操作入力装置６による前記戻りタブ７１又は前記送りタブ７２の操作に応じて前記過去カルテ表示画面４１に表示されている前記電子カルテをその直前又は直後に一つずつ切り替える。なお、前記ＣＰＵ１は、最古の電子カルテが表示されているときは前記戻りタブ７１の操作を無効とし、最新の電子カルテが表示されているときは前記送りタブ７２の操作を無効とする。また、前記ＣＰＵ１は、前記操作入力装置６による前記前回タブ７３の操作に応じて前記過去カルテ表示画面４１に表示される電子カルテを前回（最新）の電子カルテに切り替える。
【００６１】
例えば、前記記憶装置１２に４／１７〜４／２１までの毎日について電子カルテが存在しているものとする。
この場合、図２０（Ａ）に示すように、前記表示領域４１全体に４／２０の電子カルテが表示されている状態で前記戻りタブ７１が操作されると、前記ＣＰＵ１は、前記表示領域４１全体に４／１９の電子カルテを表示させる。また、前記表示領域４１に４／２０全体の電子カルテが表示されている状態で前記送りタブ７２が操作されると、前記ＣＰＵ１は、前記表示領域４１全体に４／２１の電子カルテを表示させる。
また、図２０（Ｂ）に示すように、前記表示領域４１Ａ（上段）に４／２０、前記表示領域４１Ｂ（下段）に４／１９の電子カルテが表示されている状態を考える。この場合、前記戻りタブ７１が操作されると、前記ＣＰＵ１は、前記表示領域４１Ａ（上段）に４／１９、前記表示領域４１Ｂ（下段）に４／１８の電子カルテを表示させる。一方、前記送りタブ７２が操作されると、前記ＣＰＵ１は、前記表示領域４１Ａ（上段）に４／２１、前記表示領域４１Ｂ（下段）に４／２０の電子カルテを表示させる。なお、前記ＣＰＵ１は、前記表示領域４１Ａの２回前の電子カルテが存在しない場合は前記戻りタブ７１の操作を無効とし、前記表示領域４１Ａの１回後の電子カルテが存在しない場合は前記送りタブ７２の操作を無効とする。
さらに、図２０（Ｃ）に示すように、前記表示領域４１Ｃ（上段）に４／２０、前記表示領域４１Ｄ（中段）に４／１９、前記表示領域４１Ｅ（下段）に４／１８の電子カルテが表示されている状態を考える。この場合、前記戻りタブ７１が操作されると、前記ＣＰＵ１は、前記表示領域４１Ｃ（上段）に４／１９、前記表示領域４１Ｄ（中段）に４／１８、前記表示領域４１Ｅ（下段）に４／１７の電子カルテを表示させる。一方、前記送りタブ７２が操作されると、前記ＣＰＵ１は、前記表示領域４１Ｃ（上段）に４／２１、前記表示領域４１Ｄ（中段）に４／２０、前記表示領域４１Ｅ（下段）に４／１９の電子カルテを表示させる。なお、前記ＣＰＵ１は、前記表示領域４１Ｃの３回前の電子カルテが存在しない場合は前記戻りタブ７１の操作を無効とし、前記表示領域４１Ａの１回後の電子カルテが存在しない場合は前記送りタブ７２の操作を無効とする。
【００６２】
＜タブ表示切替機能＞
さらに、図１９に示すように、前記操作部４１０の左端部には、タブ変更キー７４が表示されている。
そして、前記ＣＰＵ１は、前記タブ変更キー７４の操作ごとに、前記操作部４１０に表示する操作タブの一部又は全部を変更する機能を有する。例えば、図１９（Ｂ）に示す例では、前記タブ変更キー７４の操作により、図１９（Ａ）に示す前記操作部４１０に表示されていた前記表示日数タブ５１〜５３及び前記項目設定タブ６１〜６５に代えて、全表示タブ９１、オプションタブ９２、検索タブ９３、カラータブ９４、セットタブ９５の各種タブが表示される。このように、前記タブ変更キー７４が操作されるごとに前記操作部４１０のタブの機能を異なる機能に割り当てることにより、省スペース化を図りつつ、多種の機能を実行するためのタブ表示を行うことができる。もちろん、前記タブ変更キー７４の操作による表示変更は３ページ以上に亘るものであってもよい。
【００６３】
また、前記表示日数タブ５１と前記表示日数タブ５２、５３とのいずれが選択されているか、即ち前記過去カルテ表示画面４１に１日分の電子カルテが表示される場合と２日分又は３日分の電子カルテが表示される場合とで、前記操作部４１０の操作タブの一部又は全部を変更することが考えられる。
例えば、図１９（Ａ）、（Ｂ）は１日分の電子カルテが表示される場合、図１９（Ｃ）、（Ｄ）は２日分の電子カルテが表示される場合の前記操作部４１０の表示例を示している。図１９（Ｃ）、（Ｄ）は、図１９（Ａ）、（Ｂ）と同様に前記タブ変更キー７４の操作により前記ＣＰＵ１によって切り替えられる。なお、３日分の電子カルテが前記過去カルテ表示画面４１に表示される場合も同様である。
また、２日分又は３日分の電子カルテが表示される場合、前記ＣＰＵ１は、前記操作部４１０の右端部に、前記過去カルテ表示画面４１に表示されている電子カルテをその直前又は直後に２日分又は３日分まとめて変更する戻りタブ８１及び送りタブ８２（第２の切替部に相当）を表示させる。ここに、係る表示処理を実行するときの前記ＣＰＵ１が第８の表示制御手段に相当する。
そして、前記ＣＰＵ１は、前記操作入力装置６による前記戻りタブ８１又は前記送りタブ８２の操作に応じて前記過去カルテ表示画面４１に表示されている前記複数の電子カルテをその直前又は直後に２日分又は３日分ずつ切り替える。
【００６４】
例えば、図２１（Ａ）、（Ｂ）に示すように、前記表示領域４１Ａ（上段）に４／２０、前記表示領域４１Ｂ（下段）に４／１９の電子カルテが表示されている状態を考える。図２１（Ａ）は、前記表示領域４１Ａの４／２０の３回前の４／１７の電子カルテが存在し、該表示領域４１Ａの４／２０の２回後の４／２２の電子カルテが存在する場合の表示変化を示している。この場合、前記戻りタブ８１が操作されると、前記ＣＰＵ１は、前記表示領域４１Ａ（上段）に４／１８、前記表示領域４１Ｂ（下段）に４／１７の電子カルテを表示させる。一方、前記送りタブ８２が操作されると、前記ＣＰＵ１は、前記表示領域４１Ａ（上段）に４／２２、前記表示領域４１Ｂ（下段）に４／２１の電子カルテを表示させる。
また、図２１（Ｂ）は、前記表示領域４１Ａの４／２０の２回前の４／１８の電子カルテは存在するが３回前の４／１７の電子カルテは存在せず、該表示領域４１Ａの４／２０の１回後の４／２１の電子カルテは存在するが２回後の４／２２の電子カルテは存在しない場合の表示変化を示している。この場合、前記戻りタブ８１が操作されると、前記ＣＰＵ１は、前記表示領域４１Ａ（上段）に４／１９、前記表示領域４１Ｂ（下段）に４／１８の電子カルテを表示させる。一方、前記送りタブ８２が操作されると、前記ＣＰＵ１は、前記表示領域４１Ａ（上段）に４／２１、前記表示領域４１Ｂ（下段）に４／２０の電子カルテを表示させる。
なお、前記ＣＰＵ１は、前記表示領域４１Ａの２回前の電子カルテが存在しない場合は前記戻りタブ７１の操作を無効とし、前記表示領域４１Ａの１回後の電子カルテが存在しない場合は前記送りタブ７２の操作を無効とする。
【００６５】
また、図２１（Ｃ）〜図２１（Ｅ）に示すように、記表示領域４１Ｃ（上段）に４／２０、前記表示領域４１Ｄ（中段）に４／１９、前記表示領域４１Ｅ（下段）に４／１８の電子カルテが表示されている状態を考える。
まず、図２１（Ｃ）は、前記表示領域４１Ａの４／２０の５回前の４／１５の電子カルテが存在し、該表示領域４１Ａの４／２０の３回後の４／２３の電子カルテが存在する場合の表示変化を示している。この場合、前記戻りタブ８１が操作されると、前記ＣＰＵ１は、前記表示領域４１Ｃ（上段）に４／１７、前記表示領域４１Ｄ（中段）に４／１６、前記表示領域４１Ｅ（下段）に４／１５の電子カルテを表示させる。一方、前記送りタブ８２が操作されると、前記ＣＰＵ１は、前記表示領域４１Ｃ（上段）に４／２３、前記表示領域４１Ｄ（中段）に４／２２、前記表示領域４１Ｅ（下段）に４／２１の電子カルテを表示させる。
次に、図２１（Ｄ）は、前記表示領域４１Ａの４／２０の４回前の４／１６の電子カルテが存在するが５回前の４／１５の電子カルテは存在せず、該表示領域４１Ａの４／２０の２回後の４／２２の電子カルテが存在するが３回後の４／２３の電子カルテは存在しない場合の表示変化を示している。この場合、前記戻りタブ８１が操作されると、前記ＣＰＵ１は、前記表示領域４１Ｃ（上段）に４／１８、前記表示領域４１Ｄ（中段）に４／１７、前記表示領域４１Ｅ（下段）に４／１６の電子カルテを表示させる。一方、前記送りタブ８２が操作されると、前記ＣＰＵ１は、前記表示領域４１Ｃ（上段）に４／２２、前記表示領域４１Ｄ（中段）に４／２１、前記表示領域４１Ｅ（下段）に４／２０の電子カルテを表示させる。
さらに、図２１（Ｅ）は、前記表示領域４１Ａの４／２０の３回前の４／１７の電子カルテが存在するが４回前の４／１６の電子カルテは存在せず、該表示領域４１Ａの４／２０の１回後の４／２１の電子カルテが存在するが２回後の４／２２の電子カルテは存在しない場合の表示変化を示している。この場合、前記戻りタブ８１が操作されると、前記ＣＰＵ１は、前記表示領域４１Ｃ（上段）に４／１９、前記表示領域４１Ｄ（中段）に４／１８、前記表示領域４１Ｅ（下段）に４／１７の電子カルテを表示させる。一方、前記送りタブ８２が操作されると、前記ＣＰＵ１は、前記表示領域４１Ｃ（上段）に４／２１、前記表示領域４１Ｄ（中段）に４／２０、前記表示領域４１Ｅ（下段）に４／１９の電子カルテを表示させる。
なお、前記ＣＰＵ１は、前記表示領域４１Ａの３回前の電子カルテが存在しない場合は前記戻りタブ７１の操作を無効とし、前記表示領域４１Ａの１回後の電子カルテが存在しない場合は前記送りタブ７２の操作を無効とする。
【００６６】
ところで、以下に説明するように、前記戻りタブ７１及び前記送りタブ７２、前記戻りタブ８１及び前記送りタブ８２は、前記過去カルテ表示画面４１に任意選択した複数の電子カルテが表示された状態でも有効である（図２２（Ａ）〜（Ｄ）参照）。
【００６７】
例えば、前記記憶装置１２に７／１〜７／２０までの毎日について電子カルテが存在している場合を考える。また、図２２（Ａ）、（Ｂ）の中央に示すように、前記過去カルテ表示画面４１が三分割され、前記表示領域４１Ｃ（上段）に７／１５、前記表示領域４１Ｄ（中段）に７／１０、前記表示領域４１Ｅ（下段）に７／５の電子カルテがそれぞれ表示されているものとする。
この場合、図２２（Ａ）に示すように、前記戻りタブ７１又は前記送りタブ７２が操作されると、前記ＣＰＵ１は、前記過去カルテ表示画面４１の最上段の前記表示領域４１（Ｃ）に表示された電子カルテを基準に、表示対象をその直前又は直後に一つずつ切り替える。具体的に、前記戻りタブ７１が操作された場合、前記ＣＰＵ１は、前記表示領域４１Ｃ、４１Ｄ、４１Ｅに、７／１４、７／１３、７／１２の電子カルテをそれぞれ表示させる。一方、前記送りタブ７２が操作されると、前記ＣＰＵ１は、前記表示領域４１Ｃ、４１Ｄ、４１Ｅに、７／１６、７／１５、７／１４の電子カルテをそれぞれ表示させる。
一方、図２２（Ｂ）に示すように、前記戻りタブ８１又は前記送りタブ８２が操作されると、前記ＣＰＵ１は、前記過去カルテ表示画面４１の最上段の表示領域に表示された電子カルテを基準に、表示対象をその直前又は直後に三つずつ切り替える。具体的に、前記戻りタブ８１が操作された場合、前記ＣＰＵ１は、前記表示領域４１Ｃ、４１Ｄ、４１Ｅに、７／１２、７／１１、７／１０の電子カルテをそれぞれ表示させる。一方、前記送りタブ８２が操作されると、前記ＣＰＵ１は、前記表示領域４１Ｃ、４１Ｄ、４１Ｅに、７／１８、７／１７、７／１６の電子カルテをそれぞれ表示させる。
【００６８】
また、前記記憶装置１２に７／１、７／４、７／５、７／１０、７／１５、７／２０について電子カルテが存在している場合を考える。また、図２２（Ｃ）、（Ｄ）の中央に示すように、前記過去カルテ表示画面４１が三分割され、前記表示領域４１Ｃ（上段）に７／１５、前記表示領域４１Ｄ（中段）に７／１０、前記表示領域４１Ｅ（下段）に７／５の電子カルテがそれぞれ表示されているものとする。
この場合、図２２（Ｃ）に示すように、前記戻りタブ７１又は前記送りタブ７２が操作されると、前記ＣＰＵ１は、前記過去カルテ表示画面４１の最上段の前記表示領域４１（Ｃ）に表示された電子カルテを基準に、表示対象をその直前又は直後に一つずつ切り替える。具体的に、前記戻りタブ７１が操作された場合、前記ＣＰＵ１は、前記表示領域４１Ｃ、４１Ｄ、４１Ｅに、７／１０、７／５、７／４の電子カルテをそれぞれ表示させる。一方、前記送りタブ７２が操作されると、前記ＣＰＵ１は、前記表示領域４１Ｃ、４１Ｄ、４１Ｅに、７／２０、７／１５、７／１０の電子カルテをそれぞれ表示させる。
一方、図２２（Ｄ）に示すように、前記戻りタブ８１又は前記送りタブ８２が操作されると、前記ＣＰＵ１は、前記過去カルテ表示画面４１の最上段の表示領域に表示された電子カルテを基準に、表示対象をその直前又は直後に三つずつ切り替える。但し、図２１（Ｄ）に示した場合と同様に、前記表示領域４１Ｃの５回前の電子カルテが存在しない。そのため、図２２（Ｄ）に示すように、前記戻りタブ８１が操作された場合、前記ＣＰＵ１は、前記表示領域４１Ｃ、４１Ｄ、４１Ｅに、７／５、７／４、７／１の電子カルテをそれぞれ表示させる。また、図２１（Ｅ）に示した場合と同様に、前記表示領域４１Ｃの２回後の電子カルテが存在しない。そのため、図２２（Ｄ）に示すように、前記送りタブ８２が操作されると、前記ＣＰＵ１は、前記表示領域４１Ｃ、４１Ｄ、４１Ｅに、７／２０、７／１５、７／１０の電子カルテを表示させる。
【符号の説明】
【００６９】
１  ：ＣＰＵ
２  ：ＲＯＭ
３  ：ＲＡＭ
４  ：データ記憶部
５  ：通信インターフェース
６  ：操作入力装置
７  ：表示装置
１０：バス
１１：通信インターフェース
１２：記憶装置
１３：バス
２０：通信ネットワーク
３１：受信リスト画面
４０：カルテ表示画面
４１：過去カルテ表示画面
４１Ａ、４１Ｂ：表示領域
４１Ｃ、４１Ｄ、４１Ｅ：表示領域
４１１Ａ〜４１１Ｅ：スクロールバー
４２：現在カルテ表示画面
４３：患者表示画面
４３Ａ：リスト表示画面
４４：入力画面
５１〜５３：分割設定タブ（分割設定部）
６１〜６５：項目設定タブ（項目設定部）
Ｓ１、Ｓ２、…：処理手順（ステップ）番号
Ｓ２１、Ｓ２２、…：処理手順（ステップ）番号
Ｘ  ：電子カルテシステム
Ｙ  ：サーバ装置
Ｚ  ：クライアント装置（電子カルテ装置）
【図１】
0005811652.tif 000002
【図２】
0005811652.tif 000003
【図３】
0005811652.tif 000004
【図４】
0005811652.tif 000005
【図５】
0005811652.tif 000006
【図６】
0005811652.tif 000007
【図７】
0005811652.tif 000008
【図８】
0005811652.tif 000009
【図９】
0005811652.tif 000010
【図１０】
0005811652.tif 000011
【図１１】
0005811652.tif 000012
【図１２】
0005811652.tif 000013
【図１３】
0005811652.tif 000014
【図１４】
0005811652.tif 000015
【図１５】
0005811652.tif 000016
【図１６】
0005811652.tif 000017
【図１７】
0005811652.tif 000018
【図１８】
0005811652.tif 000019
【図１９】
0005811652.tif 000020
【図２０】
0005811652.tif 000021
【図２１】
0005811652.tif 000022
【図２２】
0005811652.tif 000023